(57)【要約】【課題】  各保冷庫の情報を容易且つ確実に取得して管理することができる車載用保冷庫の管理システムを提供する。【解決手段】  車載用保冷庫１００にＩＣタグ１５０を付設するとともに、管理コンピュータ２００にＩＣタグリーダライタ３００を接続する。管理コンピュータ２００は、車載用保冷庫１００の出荷時にＩＣタグ１５０に出荷情報を書き込み、入荷時にＩＣタグ１５０から出荷情報を読み取って管理データベース２３０に入力する。【選択図】  図１
2006177615.tif 000002
【特許請求の範囲】
【請求項１】
車両に搭載して運搬される保冷庫の情報を保冷庫の集荷所に設置した管理コンピュータが管理する車載用保冷庫の管理システムにおいて、
前記保冷庫には、各保冷庫を一意に識別する識別情報が記憶された記憶素子を有するとともに非接触で外部機器とデータ通信可能なデータキャリアを設け、
前記管理コンピュータに接続され且つ保冷庫のデータキャリアに対してデータを読み書きするリーダライタ装置を集荷所に設置するとともに、
前記管理コンピュータは、保冷庫の情報を記憶する記憶装置と、保冷庫が集荷所から出荷する際には該保冷庫のデータキャリアに対して出荷元情報や出荷先情報などの出荷情報をデータキャリアに書き込む出荷情報書込手段と、保冷庫が集荷所に入荷する際には当該保冷庫のデータキャリアから当該保冷庫の識別情報及び前記出荷情報を読み取って前記記憶装置に入力する出荷情報読取手段とを備えた
ことを特徴とする車載用保冷庫の管理システム。
【請求項２】
前記管理コンピュータは、保冷庫の入荷時に保冷庫のデータキャリアから読み取った出荷情報が自管理コンピュータの設置されている集荷所宛でないことを示している場合には所定の警告を発する警告手段を備えた
ことを特徴とする請求項１記載の車載用保冷庫の管理システム。
【請求項３】
前記出荷情報書込手段は、少なくとも出荷日時を含む出荷情報をデータキャリアに書き込むとともに、
前記管理コンピュータは、保冷庫の入荷時に保冷庫のデータキャリアから読み取った出荷日時と入荷日時の差が所定時間以上の場合には所定の警告を発する警告手段を備えた
ことを特徴とする請求項１又は２何れか１項記載の車載用保冷庫の管理システム。
【請求項４】
前記保冷庫は、庫内温度を検出する庫内温度検出手段と、該庫内温度検出手段で検出した庫内温度を外部から参照可能に表示する庫内温度表示手段とを備え、
前記管理コンピュータに接続され且つ保冷庫の庫内温度表示手段に表示された庫内温度を撮像する撮像手段を集荷所に設置するとともに、
前記管理コンピュータは、撮像手段で撮像した画像情報から庫内温度を認識する画像認識手段を備え、前記出荷情報読取手段はデータキャリアから読み取った出荷情報とともに画像認識手段で認識した庫内温度を前記記憶装置に入力する
ことを特徴とする請求項１乃至３何れか１項記載の車載用保冷庫の管理システム。
【請求項５】
前記データキャリアは、庫内温度を検出して記憶素子に書き込む庫内温度検出手段を備え、
前記出荷情報読取手段はデータキャリアから出荷情報とともに庫内温度を読み取って前記記憶装置に入力する
ことを特徴とする請求項１乃至３何れか１項記載の車載用保冷庫の管理システム。
【請求項６】
前記管理コンピュータは、入荷時における保冷庫の庫内温度が所定の適正温度範囲外である場合には所定の警告を発する警告手段を備えた
ことを特徴とする請求項４又は５記載の車載用保冷庫の管理システム。
【請求項７】
前記データキャリアは、運搬中において最高庫内温度及び最低庫内温度を記憶素子に記憶する
ことを特徴とする請求項５記載の車載用保冷庫の管理システム。
【請求項８】
前記管理コンピュータは、入荷時にデータキャリアから読み取った最高庫内温度又は最低庫内温度が所定の適正温度範囲外である場合には所定の警告を発する警告手段を備えた
ことを特徴とする請求項７記載の車載用保冷庫の管理システム。
【請求項９】
前記出荷情報書込手段は、少なくとも保冷維持する温度帯域の情報をデータキャリアに書き込むとともに、
前記警告手段は、データキャリアから読み取った温度帯域情報に基づき前記適正温度範囲を定める
ことを特徴とする請求項６又は８何れか１項記載の車載用保冷庫の管理システム。
【請求項１０】
車両に搭載して運搬される保冷庫の情報を保冷庫の集荷所に設置した管理コンピュータが管理する車載用保冷庫の管理システムにおいて、
前記保冷庫には、各保冷庫を一意に識別する識別情報が記憶された記憶媒体を保持する記憶媒体保持部を設け、
前記管理コンピュータに接続され且つ前記保冷庫の保持部から取り出した記憶媒体に対してデータを読み書きするリーダライタ装置を集荷所に設置するとともに、
前記管理コンピュータは、保冷庫の情報を記憶する記憶装置と、保冷庫が集荷所から出荷する際には該保冷庫に保持する記憶素子に対して出荷元情報や出荷先情報などの出荷情報をデータキャリアに書き込む出荷情報書込手段と、保冷庫が集荷所に入荷する際には当該保冷庫に保持されていた記憶素子から当該保冷庫の識別情報及び前記出荷情報を読み取って前記記憶装置に入力する出荷情報読取手段とを備えた
ことを特徴とする車載用保冷庫の管理システム。
【発明の詳細な説明】
【技術分野】
【０００１】
本発明は、庫内を冷却維持可能な車載用保冷庫に物品を保管し、この車載用保冷庫を車両に搭載して運搬する物流の分野において、各車載用保冷庫の情報を管理する車載用保冷庫の管理システムに関する。
【背景技術】
【０００２】
物流の分野では、生鮮食料品など温度を低温に維持した状態で搬送する必要がある物品は、蓄冷材などの冷却装置を備えた車載用保冷庫に収納され、この車載用保冷庫ごと車両に搭載されて運搬されている。この車載用保冷庫は物流業者の基地や集荷所などの管理施設において管理されており、ここで蓄冷材への蓄冷処理などが行われる。この車載用保冷庫管理の重要な目的の１つは保冷庫の温度管理である。具体的には、各車載用保冷庫の蓄冷状況、例えば何時から使用可能であるかという事や何時まで使用可能であるかという事を把握することが運用の場面では重要である。このため、管理施設では、各車載用保冷庫について、物品の運搬を終えて管理施設に戻ってきた時刻（入庫時刻）、その時の庫内温度（入庫時庫内温度）、管理施設から出発した時刻（出庫時刻）、その時の庫内温度（出庫時庫内温度）などを管理している。
【０００３】
従来、この管理業務はコンピュータを用いていた。具体的には、管理コンピュータにおいて前述の入庫時刻・入庫時庫内温度・出庫時刻・出庫時庫内温度などを車載用保冷庫毎に表計算ソフトやデータベースソフトなどで管理している。この管理コンピュータへのデータ入力は、まず管理者が車載用保冷庫の保管場所まで赴いて保冷庫に表示されている温度や保冷庫番号や時刻などをノートなどの帳票に手で記入し、その後、管理者が帳票に記入されたデータをキーボード等から入力する形態となっている。
【０００４】
しかし、このような管理形態では、帳票へのデータの記入と管理コンピュータへのデータ入力という同じデータについて２回入力作業を行う必要があるため、非常に手間がかかるだけでなく誤入力の危険性が高いものであった。
【０００５】
そこで、従来、この種の管理作業に供するシステムが提案されている（特許文献１参照）。このシステムでは、各冷凍コントローラのコントロール部の動作状態信号を取り込む信号取込装置と、この信号取込装置から動作状態信号を受信して冷凍コンテナの動作状態を監視する遠隔監視装置とを備えている（特許文献１の図１参照）。
【特許文献１】特開２００２−３１８０４７号公報
【発明の開示】
【発明が解決しようとする課題】
【０００６】
しかし、上記特許文献１に記載のシステムでは、各冷凍コンテナの動作状態を監視するにはコンテナヤードにコンテナを搬入するたびに各コンテナに信号ケーブルを接続する必要があるため利便性に欠けるという問題があった。
【０００７】
本発明は、上記事情に鑑みてなされたものであり、その目的とするところは、各保冷庫の情報を容易且つ確実に取得して管理することができる車載用保冷庫の管理システムを提供することにある。
【課題を解決するための手段】
【０００８】
上記目的を達成するために、本願では、車両に搭載して運搬される保冷庫の情報を保冷庫の集荷所に設置した管理コンピュータが管理する車載用保冷庫の管理システムにおいて、前記保冷庫には、各保冷庫を一意に識別する識別情報が記憶された記憶素子を有するとともに非接触で外部機器とデータ通信可能なデータキャリアを設け、前記管理コンピュータに接続され且つ保冷庫のデータキャリアに対してデータを読み書きするリーダライタ装置を集荷所に設置するとともに、前記管理コンピュータは、保冷庫の情報を記憶する記憶装置と、保冷庫が集荷所から出荷する際には該保冷庫のデータキャリアに対して出荷元情報や出荷先情報などの出荷情報をデータキャリアに書き込む出荷情報書込手段と、保冷庫が集荷所に入荷する際には当該保冷庫のデータキャリアから当該保冷庫の識別情報及び前記出荷情報を読み取って前記記憶装置に入力する出荷情報読取手段とを備えたことを特徴とするものを提案する。
【０００９】
本発明によれば、保冷庫が集荷所から出荷する際に保冷庫に設けたデータキャリアに出荷情報が記憶される。そして、保冷庫が集荷所に入荷した際にデータキャリアから出荷情報が読み取られて管理コンピュータの記憶装置に記憶される。このデータキャリアに対する出荷情報の読み書きは非接触で行われる。これにより、管理コンピュータは出荷情報を容易且つ確実に収集管理できる。なお、出荷情報とは、出荷元の集荷所を識別する出荷元情報や、出荷先の集荷所を識別する出荷先情報や、出荷日時などが挙げられる。
【００１０】
本発明の好適な態様の一例としては、前記管理コンピュータに、保冷庫の入荷時に保冷庫のデータキャリアから読み取った出荷情報が自管理コンピュータの設置されている集荷所宛でないことを示している場合には所定の警告を発する警告手段を設けたものが挙げられる。これにより、保冷庫が間違った集荷所に搬送された場合には所定の警告が発せられるので利便性が向上する。
【００１１】
また、他の好適な態様の一例としては、前記出荷情報書込手段が、少なくとも出荷日時を含む出荷情報をデータキャリアに書き込むとともに、前記管理コンピュータに、保冷庫の入荷時に保冷庫のデータキャリアから読み取った出荷日時と入荷日時の差が所定時間以上の場合には所定の警告を発する警告手段を設けたものが挙げられる。これにより、保冷庫の搬送に所定時間以上を要した場合は所定の警告が発せられるので利便性が向上する。
【００１２】
さらに、他の好適な態様の一例としては、保冷庫の庫内温度を取得して管理コンピュータに入力するものが挙げられる。具体的な態様としては、前記保冷庫に、庫内温度を検出する庫内温度検出手段と、該庫内温度検出手段で検出した庫内温度を外部から参照可能に表示する庫内温度表示手段とを設け、前記管理コンピュータに接続され且つ保冷庫の庫内温度表示手段に表示された庫内温度を撮像する撮像手段を集荷所に設置するととともに、前記管理コンピュータに、撮像手段で撮像した画像情報から庫内温度を認識する画像認識手段を設け、前記出荷情報読取手段がデータキャリアから読み取った出荷情報とともに画像認識手段で認識した庫内温度を前記記憶装置に入力するものが挙げられる。
【００１３】
また、庫内温度を管理する他の態様としては、前記データキャリアに、庫内温度を検出して記憶素子に書き込む庫内温度検出手段を設け、前記出荷情報読取手段がデータキャリアから出荷情報とともに庫内温度を読み取って前記記憶装置に入力するものが挙げられる。
【００１４】
これらの発明によれば、管理コンピュータにおいて入荷時の庫内温度を管理することができるので利便性が向上する。
【００１５】
このように庫内温度を取得する場合には、さらに、前記管理コンピュータに、入荷時における保冷庫の庫内温度が所定の適正温度範囲外である場合には所定の警告を発する警告手段を設けると、利便性が更に向上するので好適である。
【００１６】
また、データキャリアに庫内温度検出手段を設ける場合には、前記データキャリアが、運搬中において最高庫内温度及び最低庫内温度を記憶素子に記憶すると、運搬中における最高庫内温度及び最低庫内温度を管理コンピュータで管理できるので好適である。この場合さらに、前記管理コンピュータに、入荷時にデータキャリアから読み取った最高庫内温度又は最低庫内温度が所定の適正温度範囲外である場合には所定の警告を発する警告手段を設けると、利便性が更に向上するので好適である。
【００１７】
また、本願では、車両に搭載して運搬される保冷庫の情報を保冷庫の集荷所に設置した管理コンピュータが管理する車載用保冷庫の管理システムにおいて、前記保冷庫には、各保冷庫を一意に識別する識別情報が記憶された記憶媒体を保持する記憶媒体保持部を設け、前記管理コンピュータに接続され且つ前記保冷庫の保持部から取り出した記憶媒体に対してデータを読み書きするリーダライタ装置を集荷所に設置するとともに、前記管理コンピュータは、保冷庫の情報を記憶する記憶装置と、保冷庫が集荷所から出荷する際には該保冷庫に保持する記憶素子に対して出荷元情報や出荷先情報などの出荷情報をデータキャリアに書き込む出荷情報書込手段と、保冷庫が集荷所に入荷する際には当該保冷庫に保持されていた記憶素子から当該保冷庫の識別情報及び前記出荷情報を読み取って前記記憶装置に入力する出荷情報読取手段とを備えたことを特徴とするものを提案する。
【００１８】
本発明によれば、保冷庫が集荷所から出荷する際に保冷庫に保持させる記憶媒体に出荷情報が記憶される。そして、保冷庫が集荷所に入荷した際に記憶媒体から出荷情報が読み取られて管理コンピュータの記憶装置に記憶される。この記憶媒体に対する出荷情報の読み書きは、保冷庫の保持部から記憶媒体を取り出し、リーダライタを用いて行われる。これにより、管理コンピュータは出荷情報を容易且つ確実に収集管理できる。
【発明の効果】
【００１９】
以上説明したように本発明によれば、保冷庫が集荷所から出荷する際に保冷庫に設けたデータキャリアに出荷情報が記憶される。そして、保冷庫が集荷所に入荷した際にデータキャリアから出荷情報が読み取られて管理コンピュータの記憶装置に記憶される。このデータキャリアに対する出荷情報の読み書きは非接触で行われる。これにより、管理コンピュータは出荷情報を容易且つ確実に収集管理できる。
【００２０】
また、本発明によれば、保冷庫が集荷所から出荷する際に保冷庫に保持させる記憶媒体に出荷情報が記憶される。そして、保冷庫が集荷所に入荷した際に記憶媒体から出荷情報が読み取られて管理コンピュータの記憶装置に記憶される。この記憶媒体に対する出荷情報の読み書きは、保冷庫の保持部から記憶媒体を取り出し、リーダライタを用いて行われる。これにより、管理コンピュータは出荷情報を容易且つ確実に収集管理できる。
【発明を実施するための最良の形態】
【００２１】
（第１の実施の形態）
本発明の第１の実施形態に係る車載用保冷庫の管理システムについて図面を参照して説明する。図１は車載用保冷庫の管理システムの構成図である。
【００２２】
このシステムは、図１に示すように、集荷所１０に出入りする車載用保冷庫１００を、集荷所１０の所定の作業所１５内に設置した管理コンピュータ２００で管理する。車載用保冷庫１００にはデータキャリアであるＩＣタグ１５０が付設されている。また、管理コンピュータ２００にはＩＣタグ１５０に対して非接触でデータの読み書きを行うＩＣタグリーダライタ３００が接続されている。ＩＣタグリーダライタ３００は、集荷所１０を出入りする車載用保冷庫１００のＩＣタグ１５０と通信可能な位置に設置されている。
【００２３】
図２に管理コンピュータ２００の構成図を示す。管理コンピュータ２００は、図２に示すように、ＩＣタグリーダライタ３００を介して出荷情報（後述する）をＩＣタグ１５０に書き込む出荷情報書込部２１０と、ＩＣタグリーダライタ３００を介して出荷情報をＩＣタグ１５０から読み取る出荷情報読取部２２０と、出荷情報読取部２２０で読み取った出荷情報を記憶蓄積する管理データベース２３０と、出荷情報読取部２２０で読み取った出荷情報に基づき所定の条件でスピーカ２４１から警告音を出力する警告制御部２４０と、出荷情報を入力するキーボード等の入力部２５０と、現在日時を計時するタイマ２６０と、自管理コンピュータ２００が設置されている集荷所１０の識別情報（ＩＤ）を記憶した集荷所ＩＤ記憶部２７０とを備えている。
【００２４】
図３に管理データベース２３０のデータ構造の一例を示す。管理データベース２３０は、各車載用保冷庫１００を一意に識別する識別情報である保冷庫ＩＤと、車載用保冷庫の出荷情報と、入荷日時とを記憶する。出荷情報には、図３に例示するように、出荷元の集荷所ＩＤと、出荷先の集荷所ＩＤと、出荷日時が含まれる。
【００２５】
出荷情報書込部２１０は、車載用保冷庫１００が出荷する際に、入力部２５０で入力された出荷先の集荷所ＩＤと、集荷所ＩＤ記憶部２７０に記憶されている出荷元の集荷所ＩＤと、タイマ２６０により計時されているいる現在日時とを、ＩＣタグリーダライタ３００を介してＩＣタグ１５０に書き込む。
【００２６】
出荷情報読取部２２０は、車載用保冷庫１００が入荷した際に、出荷先の集荷所ＩＤと、出荷元の集荷所ＩＤと、出荷日時をＩＣタグリーダライタ３００を介してＩＣタグ１５０から読み取り、タイマ２６０により計時されている現在日時とともに管理データベース２３０に書き込む。
【００２７】
警告制御部２４０は、（１）保冷庫の配送先確認、（２）搬送所要時間の確認を行う。前記（１）について、警告制御部２４０は、出荷情報読取部２２０で読み取った出荷先の集荷所ＩＤと、集荷所ＩＤ記憶部２７０に記憶されている集荷所ＩＤが一致しているかを判定する。両者が一致しない場合にはスピーカ２４１から警告音や警告メッセージを出力する。前記（２）について、警告制御部２４０は、出荷情報読取部２２０で読み取った出荷日時と、タイマ２６０により計時されている現在日時との差分から搬送所要時間を算出する。そして、搬送所要時間が所定時間（例えば２４時間）以上である場合にはスピーカ２４１から警告音や警告メッセージを出力する。
【００２８】
図４に車載用保冷庫１００の機能ブロック図を示す。車載用保冷庫１００は、図４に示すように、蓄冷材（図示省略）の冷却装置を構成する圧縮機１０１，凝縮器ファン１０２と、蓄冷材温度センサ１０３と、庫内冷却維持用の庫内ファン１０４と、庫内温度センサ１０５と、蓄冷開始指示など各種指示入力を行う操作部１０６と、これらを制御する制御装置１１０とを備えている。以上の構成については、従来のものと同様なのでここでは各装置の詳細は省略する。
【００２９】
ＩＣタグ１５０は、無線通信を利用し非接触でＩＣタグリーダライタと通信可能な装置である。このＩＣタグ１５０は、前記ＩＣタグリーダライタ３００と通信可能な位置に付設されており、図４を参照して説明した車載用保冷庫１００の制御系とは独立している。一般的にＩＣタグ１５０は、電源内蔵型のアクティブタイプ（能動型）と、アンテナからのエネルギーを電源とする電源非内蔵型のパッシブタイプ（受動型）とに分類されるが、本発明はどちらのタイプでも利用できる。ＩＣタグ１５０は、図５に示すように、アンテナ１５１と、通信制御部１５２と、記憶素子１５３とを備えている。記憶素子１５３は、書換不可領域１５３ａと書換可能領域１５３ｂとに区画されている。書換不可領域１５３ａには保冷庫ＩＤが予め記憶されている。また、書換可能領域１５３ｂには出荷元の集荷所ＩＤと、出荷先の集荷所ＩＤと、出荷日時を記憶する領域が設けられている。なお、前述したように保冷庫ＩＤは車載用保冷庫１００を一意に識別する識別情報であるが、ＩＣタグ１５０に予め設定されているＩＣタグの識別情報（ＩＤ）を保冷庫ＩＤとして流用してもよい。
【００３０】
本実施の形態によれば、出荷時には車載用保冷庫１００に付設したＩＣタグ１５０に出荷情報が書き込まれるとともに、入荷時に当該出荷情報が読み取られて管理コンピュータ２００の管理データベース２３０に入力される。したがって、出荷情報入力のための工数を削減できるとともに入力ミスを防止できる。特に、本実施の形態では出荷情報をＩＣタグ１５０に記憶し、データの読み取りを非接触で行っているので、より利便性が高いものとなる。さらに、本実施の形態では、間違った集荷所に車載用保冷庫１００が入荷すると所定の警告が発せられるので誤配送を防止できる。さらに、本実施の形態では、車載用保冷庫１００の搬送所要時間が所定時間以上だった場合に所定の警告が発せられるので、より利便性が高いものとなる。さらに、本実施の形態では、車載用保冷庫１００としては、既存ものをそのまま利用し、単にＩＣタグ１５０を付設するだけで良いので、システムを構築を容易且つ廉価に構築できる。
【００３１】
（第２の実施の形態）
本発明の第２の実施形態に係る車載用保冷庫の管理システムについて図面を参照して説明する。図６は車載用保冷庫の管理システムの構成図である。本実施の形態が第１の実施の形態と異なる点は、入荷時における車載用保冷庫の庫内温度を管理コンピュータで管理する点にある。以下相違点について詳述する。
【００３２】
図６に示すように、車載用保冷庫１００は、庫内温度を表示する庫内温度表示部１０７を備えている。この庫内温度表示部１０７は、第１の実施の形態において図４を参照して前述した制御装置１１０に接続されており、庫内温度センサ１０５で検出した庫内温度を表示する。なお、このような構成は従来既存の車載用保冷庫と同様である。
【００３３】
集荷所１０には、車載用保冷庫１００の庫内温度表示部１０７を撮像する手段であるＣＣＤカメラ４００が設置されている。このＣＣＤカメラ４００は管理コンピュータ２００に接続されている。他の構成は第１の実施の形態と同様であるのでここでは説明を省略する。
【００３４】
管理コンピュータ２００は、図７に示すように、前述の第１の実施形態において詳述した構成に、画像認識部２８０を付加した構成となっている。画像認識部２８０は、車載用保冷庫１００が入荷した際に、ＣＣＤカメラ４００を用いて庫内温度表示部１０７を撮像し、該撮像データから庫内温度データを認識する。そして、画像認識部２８０は、出荷情報読取部２２０と協動して当該庫内温度データを管理データベース２３０に入力する。管理データベース２３０は、図８に示すように、第１の実施形態のものに対して入荷時の庫内温度を記憶可能となっている。
【００３５】
また、警告制御部２４０は、第１の実施形態で説明した（１）保冷庫の配送先確認、（２）搬送所要時間の確認に付け加えて、（３）庫内温度の確認を行う。警告制御部２４０は、前記（３）について、画像認識部２８０で認識した庫内温度が所定の適正温度外（例えば５℃以上や０℃以下）である場合には、スピーカ２４１から警告音や警告メッセージを出力する。
【００３６】
管理コンピュータ２００の他の構成・動作については第１の実施の形態と同様である。
【００３７】
本実施の形態によれば、入荷時に庫内温度が読み取られて管理コンピュータ２００の管理データベース２３０に入力されるので、庫内温度入力のための工数を削減できるとともに入力ミスを防止できる。特に、本実施の形態では車載用保冷庫１００の庫内温度表示部１０７に表示されている庫内温度をＣＣＤカメラ４００で撮像して庫内温度を読み取るので、すなわちデータの読み取りを非接触で行っているので、より利便性が高いものとなる。さらに、本実施の形態では、入荷時における庫内温度が所定の適正温度範囲外の場合には所定の警告が発せられるので、より利便性が高いものとなる。他の作用・効果については第１の実施の形態と同様である。
【００３８】
（第３の実施の形態）
本発明の第３の実施形態に係る車載用保冷庫の管理システムについて図面を参照して説明する。本実施の形態が第１の実施の形態と異なる点は、入荷時における車載用保冷庫の庫内温度を管理コンピュータで管理する点にある。以下相違点について詳述する。
【００３９】
本実施の形態では、図９に示すように、車載用保冷庫１００に付設するＩＣタグ１５０に庫内温度センサ１６０を接続している。この庫内温度センサ１６０は、車載用保冷庫１００の庫内の保冷維持に用いるもの（図４の庫内温度センサ１０４）と共用してもよいし、別途独立して設けてもよい。後者の場合には、従来既存の車載用保冷庫１００を無改造で用いることができる点で好適である。本実施の形態では、保冷維持用のセンサとは異なるセンサを別途設けた。
【００４０】
また、ＩＣタグ１５０の記憶素子１５３の書換可能領域１５３ｂには、庫内温度の保冷温度帯域に関する情報と、運搬中における最高庫内温度及び最低庫内温度を記憶する領域が設けられている。保冷温度帯域情報は、当該車載用保冷庫１００についてどの保冷温度帯域で保冷するかを示す情報である。例えば、０〜５℃の帯域（冷蔵帯域）であるか、又は、−３０℃〜−２５℃の帯域（冷凍帯域）であるかを識別する情報である。
【００４１】
さらに、ＩＣタグ１５０は、庫内温度センサ１６０で検出した庫内温度を前記記憶素子１５３に記録する庫内温度記録部１５４を備えている。庫内温度記録部１５４は、定期的に庫内温度センサ１６０により庫内温度を検出し、搬送中において最高庫内温度又は最低庫内温度が更新されたとき、当該温度を記憶素子１５３に記録する。なお、このＩＣタグ１５０は、ＩＣタグリーダライタ３００からのエネルギー供給がない場合にも動作する必要があるので、電源内蔵型のアクティブタイプが用いられる。
【００４２】
管理コンピュータ２００の出荷情報書込部２１０は、第１の実施の形態と同様にして出荷情報をＩＣタグ１５０に書き込む際に、保冷温度帯域をＩＣタグ１５０に書き込むとともに、ＩＣタグ１５０の最高庫内温度及び最低庫内温度を初期化（例えばＮＵＬＬを書き込む）する。
【００４３】
また、管理コンピュータ２００の出荷情報読取部２２０は、第１の実施の形態と同様にして出荷情報をＩＣタグ１５０から読み込む際に、保冷温度帯域、最高庫内温度、最低庫内温度をＩＣタグ１５０から読み込み、それぞれ管理データベース２３０に入力する。管理データベース２３０は、図１０に示すように、第１の実施形態のものに対して、保冷温度帯域、最高庫内温度、最低庫内温度を記憶可能となっている。
【００４４】
また、警告制御部２４０は、第１の実施形態で説明した（１）保冷庫の配送先確認、（２）搬送所要時間の確認に付け加えて、（３）庫内温度の確認を行う。警告制御部２４０は、前記（３）について、出荷情報読取部２２０でＩＣタグ１５０から読み取った、保冷温度帯域、最高庫内温度、最低庫内温度に基づき、最高庫内温度又は最低庫内温度が、保冷温度帯域に対応する所定の適正温度範囲外であるかを判定する。適正温度範囲外の場合には、スピーカ２４１から警告音や警告メッセージを出力する。
【００４５】
管理コンピュータ２００の他の構成・動作については第１の実施の形態と同様である。
【００４６】
本実施の形態によれば、入荷時に保冷温度帯域、最高庫内温度、最低庫内温度が読み取られて管理コンピュータ２００の管理データベース２３０に入力されるので、入力のための工数を削減できるとともに入力ミスを防止できる。また、本実施の形態では、運搬中における庫内温度が所定適正温度範囲外になったことがある場合には所定の警告が発せられるので、より利便性が高いものとなる。他の作用・効果については第１の実施の形態と同様である。
【００４７】
（第４の実施の形態）
本発明の第４の実施形態に係る車載用保冷庫の管理システムについて図面を参照して説明する。本実施の形態が第１の実施の形態と異なる点は、第１の実施の形態では出荷情報をＩＣタグに記憶していたが、本実施の形態では着脱自在の携帯記憶媒体である磁気カード５００に記憶することにある。以下相違点について詳述する。
【００４８】
本実施の形態に係る車載用保冷庫１００は、図１１に示すように、磁気カード５００を挿脱自在に保持するカードホルダ１７０が付設されている。また、管理コンピュータ２００には、第１の実施形態におけるＩＣカードリーダライタ３００に対応する装置として、磁気カード５００に対してデータを読み書きする磁気カードリーダライタ６００が接続されている。他の構成・動作等については第１の実施の形態と同様である。
【００４９】
本実施の形態によれば、出荷時には車載用保冷庫１００から磁気カード５００を取り外して磁気カードリーダライタ６００にセットすることにより当該磁気カード５００に出荷情報を書き込み可能である。また、入荷時にも同様にして磁気カード５００から出荷情報を読み取り可能である。他の作用・効果については第１の実施の形態と同様である。
【００５０】
なお、本実施の形態は、第１の実施の形態の変形例として記載したが、第２の実施の形態の変形例として実施することも可能である。また、本実施の形態では、出荷情報の記憶媒体として磁気カードを用いたが、接触型ＩＣカード、非接触型ＩＣカード等であっても良い。
【００５１】
以上、本発明の一実施の形態について詳述したが本発明はこれに限定されるものではない。例えば上記各実施の形態では出荷時にデータキャリアであるＩＣタグ１５０に書き込む情報として、出荷元の集荷所ＩＤ、出荷先の集荷所ＩＤ、出荷日時を例示したが、さらに他の情報を書き込むようにしても良い。例えば、車載用保冷庫１００に収容する物品の情報などが挙げられる。
【図面の簡単な説明】
【００５２】
【図１】第１の実施形態に係る車載用保冷庫の管理システムの構成図
【図２】第１の実施形態に係る管理コンピュータの構成図
【図３】第１の実施形態に係る管理データベースのデータ構造の一例を示す図
【図４】第１の実施形態に係る車載用保冷庫の制御系の機能ブロック図
【図５】第１の実施形態に係るＩＣタグの機能ブロック図
【図６】第２の実施形態に係る車載用保冷庫の管理システムの構成図
【図７】第２の実施形態に係る管理コンピュータの構成図
【図８】第２の実施形態に係る管理データベースのデータ構造の一例を示す図
【図９】第３の実施形態に係るＩＣタグの機能ブロック図
【図１０】第３の実施形態に係る管理データベースのデータ構造の一例を示す図
【図１１】第４の実施形態に係る車載用保冷庫の管理システムの構成図
【符号の説明】
【００５３】
１０…集荷所、１００…車載用保冷庫、１５０…ＩＣタグ、２００…管理コンピュータ、３００…ＩＣタグリーダライタ、４００…ＣＣＤカメラ、５００…磁気カード、６００…磁気カードリーダライタ
【図１】
2006177615.tif 000003
【図２】
2006177615.tif 000004
【図３】
2006177615.tif 000005
【図４】
2006177615.tif 000006
【図５】
2006177615.tif 000007
【図６】
2006177615.tif 000008
【図７】
2006177615.tif 000009
【図８】
2006177615.tif 000010
【図９】
2006177615.tif 000011
【図１０】
2006177615.tif 000012
【図１１】
2006177615.tif 000013